(57)【特許請求の範囲】
【請求項１】
建物壁における第１及び第２の各壁面が交差する出隅部に設置される出隅部保護カバーであって、
互いに組み付けられるベース体とカバー体とで構成されて、配管方向に沿った両端部には、前記第１及び第２の各壁面に設置される各直状保護カバーの端部をそれぞれ内挿して接続する二つの接続口が形成され、
前記第２壁面に設置される直状保持カバーは、前記第２壁面に設置される他の付属保護カバーにより、一端側が規制された状態で、他端側が前記第１壁面の略延長面となる位置で切断されることで、自身の長さが定められ、
前記第２壁面の側の接続口における前記第１壁面の略延長面となる位置には、前記切断により長さが定められた前記直状保護カバーの設定長の進入のみを許容して、当該設定長を超える進入を規制する進入規制部が設けられていることを特徴とする出隅部保護カバー。
【請求項２】
前記進入規制部は、カバー体の内面に設けられていることを特徴とする請求項１に記載の出隅部保護カバー。
【請求項３】
前記ベース体は、第１壁面のみに設置されて、第２壁面には、カバー体のみが設置される構成であることを特徴とする請求項１又は２に記載の出隅部保護カバー。
【請求項４】
第１及び第２の各壁面の交差部に出隅部が形成されて、当該出隅部を含んで連続する第１及び第２の各壁面に配線・配管される配線・配管材を収容保護する保護カバー装置であって、
前記第１壁面に設置される一般直状保護カバーと、
前記第２壁面に設置される中間直状保護カバーと、
前記出隅部に設置されて、配管方向に沿った両端部に、前記一般及び中間の各直状保護カバーの一方の各端部がそれぞれ内挿される第１及び第２の各壁面の側の各接続口を備えた出隅部保護カバーと、
前記第２壁面に設置され、前記中間直状保護カバーの他方の端部が内挿される接続口を備えた付属保護カバーと、
から成り、
前記出隅部保護カバーの第２壁面側の接続口、及び前記付属保護カバーの前記接続口には、前記中間直状保護カバーの両端部が所定長を超えて侵入するのを規制する侵入規制部がそれぞれ設けられ、
前記出隅部保護カバーの第２壁面側の侵入規制部は、当該出隅部保護カバーを前記出隅部に設置した状態で、前記第１壁面の略延長面上に設けられていることを特徴とする保護カバー装置。
【請求項５】
第１及び第２の各壁面の交差部に出隅部が形成されると共に、第２及び第３の各壁面の交差部に入隅部が形成されるように、連続した第１〜第３の三つの壁面に配線・配管される配線・配管材を収容保護する保護カバー装置であって、
前記第１及び第３の各壁面に設置される一般直状保護カバーと、
前記第２壁面に設置される中間直状保護カバーと、
前記出隅部に設置されて、配管方向に沿った両端部に、前記一般直状保護カバー及び中間直状保護カバーの各端部がそれぞれ内挿される第１壁面側及び第２壁面側の各接続口をそれぞれ備えた出隅部保護カバーと、
前記入隅部に設置されて、配管方向に沿った両端部に、前記中間直状保護カバー及び一般直状保護カバーの各端部がそれぞれ内挿される第２壁面側及び第３壁面側の各接続口をそれぞれ備えた入隅部保護カバーと、
から成り、
前記出隅部保護カバーの第２壁面側接続口、及び前記入隅部保護カバーの第２壁面側接続口には、前記中間直状保護カバーの両端部が設定長を超えて進入するのを規制する進入規制部がそれぞれ設けられ、
前記出隅部保護カバーの第２壁面側の進入規制部は、当該出隅部保護カバーを前記出隅部に設置した状態で、前記第１壁面の略延長面上に設けられていることを特徴とする保護カバー装置。
【請求項６】
第１及び第２の各壁面の交差部に出隅部が形成されると共に、第２及び第３の各壁面の交差部に入隅部が形成されるように、連続した第１〜第３の三つの壁面に配線・配管される配線・配管材を収容保護する保護カバー装置であって、
前記第２壁面に設置される中間直状保護カバーと、
前記出隅部に設置されて、配管方向に沿った一端部に、前記中間直状保護カバーの一端部が挿入される第２壁面側接続口を備えた出隅部保護カバーと、
前記入隅部に設置されて、配管方向に沿った一端部に、前記中間直状保護カバーの他端部が内挿される第２壁面側接続口を備えた入隅部保護カバーと、
から成り、
前記出隅部保護カバーの第２壁面側接続口、及び前記入隅部保護カバーの第２壁面側接続口には、前記中間直状保護カバーの両端部が設定長を超えて進入するのを規制する進入規制部がそれぞれ設けられ、
前記出隅部保護カバーの進入規制部と入隅部保護カバーの進入規制部との間の長さが、前記第２壁面の長さと略同一となるように、前記出隅部保護カバーの進入規制部は、前記第１壁面の延長面を超えて当該出隅部保護カバーの奥部に形成されていることを特徴とする保護カバー装置。
【発明の詳細な説明】
【技術分野】
【０００１】
本発明は、建物の出隅部に配線・配管される配線・配管材を覆うための出隅部保護カバー、及び当該出隅部保護カバーと他の保護カバーとの組み合せに係る保護カバー装置に関するものである。
【０００２】
以下に使用される「保護カバー」とは、壁面に固定される単一の「ベース体」と、当該ベース体に組み付けられる単一の「カバー体」とで構成される配管材のカバー機能を有する組付体を指し、「保護カバー装置」とは、種類の異なる複数の「保護カバー」の組み合せに係る概念を指す。更に、前記した「保護カバー」或いは「保護カバー装置」を構成する単体部材には、「カバー体」、「ベース体」のように「部材名称」の末尾に「体」を付して、その旨を明確化する。
【背景技術】
【０００３】
例えば、図１７及び図１８に示されるように、第１及び第２の各壁面Ｗ1 ，Ｗ2 の交差部に出隅部Ａが形成されると共に、第２及び第３の各壁面Ｗ2 ，Ｗ3 の交差部に入隅部Ｂが形成されるように、連続する第１〜第３の各壁面Ｗ1 〜Ｗ3 に配管材Ｐを配管する場合には、特許文献１の図９及び図１０に示されるような出隅部保護カバーＣ10、入隅部保護カバーＣ20及び中間直状保護カバーＣ30が使用される。出隅部及び入隅部の各保護カバーＣ10，Ｃ20は、いずれも前記出隅部Ａ及び入隅部Ｂにビス９１を介して固定されるベース体７１（８１）と、当該ベース体７１（８１）に係合構造により組み付けられるカバー体７２（８２）とから成る。各ベース体７１（８１）は、本体板部７３（８３）の幅方向の両端部に低壁部７４（８４）が設けられていて、当該低壁部７４（８４）の外側面に、カバー体７２（８２）に設けられた組付部７５（８５）と嵌合する被組付部７６（８６）が設けられている。本体板部７３（８３）の長手方向の両端部は、前記低壁部７４（８４）の両端に対して配管方向に突出していて、中間直状保護カバーＣ30のベース体８７のベース部８８の底面に設けられた凹溝８８ａに挿入されて、出隅部及び入隅部の各保護カバーＣ10，Ｃ20に対する中間直状保護カバーＣ30のベース体８７の幅方向の位置決めを行う。
【０００４】
中間直状保護カバーＣ30は、ベース体８７とカバー体８９とから成る。ベース体８７は、配管材を保持可能な一対の保持片９０を備えており、第１及び第３の各壁面Ｗ1 ，Ｗ3 の間の第２壁面Ｗ2 において、出隅部及び入隅部の各保護カバーＣ10，Ｃ20の間に設置される。
【０００５】
従って、中間直状保護カバーＣ30は、第２壁面Ｗ2 における出隅部及び入隅部の各保護カバーＣ10，Ｃ20の間の長さ（Ｌ’）、正確には、第２壁面Ｗ2 に設置される各保護カバーＣ10，Ｃ20の低壁部７４，８４の間の長さ（Ｌ’）に対応した長さに予め切断する必要がある。なお、図１７及び図１８において、９１は、出隅部及び入隅部の各保護カバーＣ10，Ｃ20の各ベース体７１，８１を各壁面Ｗ1 ，Ｗ2 （Ｗ2 ，Ｗ3 ）に固定するためのビスを示す。
【０００６】
しかし、各保護カバーＣ10，Ｃ20を設置した状態で、前記長さ（Ｌ’）を測定して、中間直状保護カバーＣ30を構成するベース体８７及びカバー体８９を前記長さ（Ｌ’）に切断する作業は、測定と切断との双方の作業があるために、大変に面倒であった。また、前記長さ（Ｌ’）は、予め施工現場の設計図に基づいて計算することは可能であるが、現実の施工現場には、第２壁面に相当する壁面は複数存在することが多く、予め計算しておいても、間違いが生じ易い。
【先行技術文献】
【特許文献】
【０００７】
【特許文献１】実開平６−１６７９９号公報
【発明の概要】
【発明が解決しようとする課題】
【０００８】
本発明は、建物壁の出隅部を形成する一方の壁面に設置される直状保護カバーの切断長の測定、及び切断の各作業を容易にして、配線・配管作業の効率を高めることを課題としている。
【課題を解決するための手段】
【０００９】
上記の課題を解決するための請求項１の発明は、建物壁における第１及び第２の各壁面が交差する出隅部に設置される出隅部保護カバーであって、互いに組み付けられるベース体とカバー体とで構成されて、配管方向に沿った両端部には、前記第１及び第２の各壁面に設置される各直状保護カバーの端部をそれぞれ内挿して接続する二つの接続口が形成され、前記第２壁面に設置される直状保持カバーは、前記第２壁面に設置される他の付属保護カバーにより、一端側が規制された状態で、他端側が前記第１壁面の略延長面となる位置で切断されることで、自身の長さが定められ、前記第２壁面の側の接続口における前記第１壁面の略延長面となる位置には、前記切断により長さが定められた前記直状保護カバーの設定長の進入のみを許容して、当該設定長を超える進入を規制する進入規制部が設けられていることを特徴としている。
【００１０】
請求項１の発明において、第２壁面に設置される直状保護カバーの長さを定めるには、当該第２壁面上に設置される接続用保護カバー（付属保護カバー）に設けられた進入規制部に当該直状保護カバーの一端面を当接させた状態で、当該直状保護カバーを第２壁面に密着させる。この状態で、直上保護カバーにおける第１壁面の延長面と交差する部分において、当該直状保護カバーを設定長に切断する。以下、上記のようにして、設定長に切断された直状保護カバーを切断直状保護カバーという。
【００１１】
請求項１の発明に係る出隅部保護カバーは、配管方向の両端部に設けられた二つの接続口のうち第２壁面の側の接続口における前記第１壁面の略延長面となる位置に、前記第２壁面に設置される直状保護カバーの設定長の進入のみを許容して、当該設定長を超える進入を規制する進入規制部が設けられている。よって、切断直状保護カバーを第２壁面に設置した状態で、第１及び第２の各壁面で形成される出隅部に出隅部保護カバーを設置して、切断直状保護カバーの他端部を出隅部保護カバーの接続口に内挿させると、当該切断直状保護カバーの一端部は、第２壁面上に設置された接続用保護カバー（付属保護カバー）の進入規制部により、当該進入規制部を超えて当該接続用保護カバーの内部に進入不能となると共に、当該切断直状保護カバーの一端部は、出隅部保護カバーの第２壁面の側の接続口に設けられた進入規制部により、当該進入規制部を超えて内部に進入不能となる。
【００１２】
この結果、第２壁面に設置される直状保護カバーの切断長は、当該直状保護カバーを第２壁面に密着させて、その一端部を第２壁面に設置された接続用保護カバーの進入規制部に当接させた状態で、当該直状保護カバーにおける第１壁面の延長面と交差する部分において、当該直状保護カバーを切断するのみでよく、従来のように、施工現場において直状保護カバーの切断長をいちいち測定する必要がなくなると共に、測定が不要であるために、切断長の誤りもなくなる。この結果、出隅部保護カバー及び直状保護カバーを用いて行う配線・配管材の配線・配管作業を誤りなく、迅速に行えて、作業能率が高められる。
【００１３】
請求項２の発明は、請求項１の発明において、前記進入規制部は、カバー体の内面に設けられていることを特徴としている。
請求項２の発明によれば、直状保護カバーが、ベース体とカバー体で構成されている場合のみならず、カバー体のみで構成されている場合においても、保護カバーのカバー体の内面に設けられた進入規制部により、直状保護カバーが当該進入規制部を超えて、内部に進入するのを確実に防止できる。
【００１４】
請求項３の発明は、請求項１又は２の発明において、前記ベース体は、第１壁面のみに設置されて、第２壁面には、カバー体のみが設置される構成であることを特徴としている。
請求項３の発明によれば、第２壁面には、出隅部保護カバーを構成するカバー体のみが配置されて、当該第２壁面に密着するベース体は存在していないので、出隅部保護カバーの第２壁面の側の接続口に内挿される直状保護カバーの端部との干渉の問題がなくなって、出隅部保護カバーの第２壁面の側の接続口に形成される進入規制部の配置設計が容易となる。
【００１５】
請求項４の発明は、第１及び第２の各壁面の交差部に出隅部が形成されて、当該出隅部を含んで連続する第１及び第２の各壁面に配線・配管される配線・配管材を収容保護する保護カバー装置であって、前記第１壁面に設置される一般直状保護カバーと、前記第２壁面に設置される中間直状保護カバーと、前記出隅部に設置されて、配管方向に沿った両端部に、前記一般及び中間の各直状保護カバーの一方の各端部がそれぞれ内挿される第１及び第２の各壁面の側の各接続口を備えた出隅部保護カバーと、前記第２壁面に設置され、前記中間直状保護カバーの他方の端部が内挿される接続口を備えた付属保護カバーとから成り、前記出隅部保護カバーの第２壁面側の接続口、及び前記付属保護カバーの前記接続口には、前記中間直状保護カバーの両端部が所定長を超えて侵入するのを規制する侵入規制部がそれぞれ設けられ、前記出隅部保護カバーの第２壁面側の侵入規制部は、当該出隅部保護カバーを前記出隅部に設置した状態で、前記第１壁面の略延長面上に設けられていることを特徴としている。
【００１６】
請求項４の発明は、請求項１の発明を、複数の保護カバーにより構成される「保護カバー装置」として把握して表現したものであり、その作用効果は、請求項１の発明と同等である。
【００１７】
請求項５の発明は、第１及び第２の各壁面の交差部に出隅部が形成されると共に、第２及び第３の各壁面の交差部に入隅部が形成されるように、連続した第１〜第３の三つの壁面に配線・配管される配線・配管材を収容保護する保護カバー装置であって、前記第１及び第３の各壁面に設置される一般直状保護カバーと、前記第２壁面に設置される中間直状保護カバーと、前記出隅部に設置されて、配管方向に沿った両端部に、前記一般直状保護カバー及び中間直状保護カバーの各端部がそれぞれ内挿される第１壁面側及び第２壁面側の各接続口をそれぞれ備えた出隅部保護カバーと、前記入隅部に設置されて、配管方向に沿った両端部に、前記中間直状保護カバー及び一般直状保護カバーの各端部がそれぞれ内挿される第２壁面側及び第３壁面側の各接続口をそれぞれ備えた入隅部保護カバーとから成り、前記出隅部保護カバーの第２壁面側接続口、及び前記入隅部保護カバーの第２壁面側接続口には、前記中間直状保護カバーの両端部が設定長を超えて進入するのを規制する進入規制部がそれぞれ設けられ、前記出隅部保護カバーの第２壁面側の進入規制部は、当該出隅部保護カバーを前記出隅部に設置した状態で、前記第１壁面の略延長面上に設けられていることを特徴としている。
【００１８】
請求項５の発明は、第２壁面と、当該第２壁面における第１壁面の反対側において接続する第３壁面とで入隅部が形成されていて、当該入隅部に入隅部保護カバーが設置される場合であって、第２壁面に設置される中間直状保護カバーの切断長を定めるには、当該中間直状保護カバーの一端部を、前記入隅部に設置される入隅部保護カバーの第２壁面側の接続口に設けられた進入規制部に当接させた状態で、当該中間直状保護カバーにおける第１壁面の延長面と交差する部分において、当該中間直状保護カバーを切断する。これにより、第２壁面に設置される中間直状保護カバーの切断長の測定が不要となって、切断長の誤りもなくなる。
【００１９】
請求項６の発明は、第１及び第２の各壁面の交差部に出隅部が形成されると共に、第２及び第３の各壁面の交差部に入隅部が形成されるように、連続した第１〜第３の三つの壁面に配線・配管される配線・配管材を収容保護する保護カバー装置であって、前記第２壁面に設置される中間直状保護カバーと、前記出隅部に設置されて、配管方向に沿った一端部に、前記中間直状保護カバーの一端部が挿入される第２壁面側接続口を備えた出隅部保護カバーと、前記入隅部に設置されて、配管方向に沿った一端部に、前記中間直状保護カバーの他端部が内挿される第２壁面側接続口を備えた入隅部保護カバーとから成り、前記出隅部保護カバーの第２壁面側接続口、及び前記入隅部保護カバーの第２壁面側接続口には、前記中間直状保護カバーの両端部が設定長を超えて進入するのを規制する進入規制部がそれぞれ設けられ、前記出隅部保護カバーの進入規制部と入隅部保護カバーの進入規制部との間の長さが、前記第２壁面の長さと略同一となるように、前記出隅部保護カバーの進入規制部は、前記第１壁面の延長面を超えて当該出隅部保護カバーの奥部に形成されていることを特徴としている。
【００２０】
請求項６の発明によれば、出隅部及び入隅部の各保護カバーの第２壁面の側に設けられた各進入規制部の間の長さは、当該第２壁面の出隅部と入隅部との間の長さにほぼ等しくなっているために、中間直状保護カバーの切断長は、当該第２壁面の長さにほぼ等しい。従って、出隅部及び入隅部の各保護カバーを設置する前において、中間直状保護カバーを当該第２壁面に当接させて、当該中間直状保護カバーにおける第１壁面の延長面と略交差する位置において、当該中間直状保護カバーを切断すればよい。このように、中間直状保護カバーの切断長は、測定しなくても第２壁面に対して中間直状保護カバーを当接させるのみで、決定できて、当該切断長を簡単に、しかも間違いなく定められる。
【発明の効果】
【００２１】
請求項１の発明によれば、第２壁面に設置される直状保護カバーの切断長は、当該直状保護カバーを第２壁面に密着させて、その一端部を第２壁面に設置された接続用保護カバーの進入規制部に当接させた状態で、当該直状保護カバーにおける第１壁面の延長面と交差する部分において、当該直状保護カバーを切断するのみでよく、従来のように、施工現場において直状保護カバーの切断長をいちいち測定する必要がなくなると共に、測定が不要であるために、切断長の誤りもなくなる。この結果、出隅部保護カバー及び直状保護カバーを用いて行う配線・配管材の配線・配管作業を誤りなく、迅速に行えて、配線・配管作業の能率が高められる。
【００２２】
請求項５又は６の発明によれば、出隅部及び入隅部を形成する第２壁面に設置される中間直状保護カバーの切断長は、入隅部に設置された入隅部保護カバーの第２壁面側の接続口に形成された進入規制部に前記中間直状保護カバーの一端部を当接させるか、或いは当該中間直状保護カバーを第２壁面に密着させた状態で、第１壁面の略延長面と交差する部分となるため、出隅部及び入隅部の各保護カバー、及び中間直状保護カバーを用いて行う配線・配管材の配線・配管作業を誤りなく、迅速に行える。
【図面の簡単な説明】
【００２３】
【図１】建物壁の隣接する出隅部Ａ及び入隅部Ｂを構成する各壁面Ｗ1 ，Ｗ3 に出隅部及び入隅部の各保護カバーＣ1 ，Ｃ2 の各ベース体Ｖ1 を固定した状態の斜視図である。
【図２】原中間直状保護カバー体Ｋ01を中間直状保護カバー体Ｋ0 として必要な切断長ＬK0に切断する状態を示す平面断面図である。
【図３】各壁面Ｗ1 ，Ｗ3 に固定された各ベース体Ｖ1 に直状保護カバーＣ3 のベース体Ｖ3 を接続して、配管材Ｐを配管した状態の斜視図である。
【図４】配管材Ｐの壁面Ｗ2 に配置された部分を中間直状保護カバー体Ｋ0 で覆うと共に、直状保護カバーＣ3 のベース体Ｖ3 にカバー体Ｋ3 を覆蓋する状態の斜視図である。
【図５】配管材Ｐの出隅配管部及び入隅配管部が出隅部及び入隅部の各保護カバーＣ1 ，Ｃ2 の各カバー体Ｋ1 ，Ｋ2 で覆われた状態の斜視図である。
【図６】（ａ）は、各保護カバーＣ1 ，Ｃ2 の組付部分の横断面図であり、（ｂ）は、各保護カバーＣ1 ，Ｃ2 のベース体Ｖ1 と直状保護カバーＣ3 のベース体Ｖ3 との嵌合状態の横断面図である。
【図７】建物壁の出隅部Ａに出隅部保護カバーＣ1 が配置された状態における第１壁面Ｗ1 とカバー体Ｋ1 の内面に形成された進入規制突起１７との関係を示す平面断面図である。
【図８】出隅部及び入隅部の各保護カバーＣ1 ，Ｃ2 と中間直状保護カバー体Ｋ0 との組付状態の平面断面図である。
【図９】出隅部及び入隅部の各保護カバーＣ1 ，Ｃ2 を構成するベース体Ｖ1 とカバー体Ｋ1 ，Ｋ2 の組付状態の斜視図である。
【図１０】（ａ），（ｂ）は、出隅部及び入隅部の各保護カバーＣ1 ，Ｃ2 を構成するベース体Ｖ1 を異なる方向から見た斜視図である。
【図１１】出隅部及び入隅部の各保護カバーＣ1 ，Ｃ2 を構成する各カバー体Ｋ1 、Ｋ2 の各組付凸部１６，２６とベース体Ｖ1 の被組付凹部４との位置関係を説明するための図である。
【図１２】罫書き線を罫書かなくても出隅部保護カバーＣ1 を配管経路に設置可能とする配管例を示す模式図である。
【図１３】出隅部及び入隅部の各保護カバーＣ1'，Ｃ2'と中間直状保護カバー体Ｋ0'の組付状態の平面断面図である。
【図１４】出隅部保護カバーＣ1'と中間直状保護カバー体Ｋ0'との組付状態の斜視図である。
【図１５】（ａ），（ｂ）は、それぞれ図１２のＸ−Ｘ線及びＹ−Ｙ線の各断面図である。
【図１６】原中間直状保護カバー体Ｋ0'' の切断位置を定める状態を示す平面図である。
【図１７】従来の出隅部及び入隅部の各保護カバーＣ10，Ｃ20と中間直状保護カバーＣ30の組付状態の平面断面図である。
【図１８】中間直状保護カバーＣ30の長さを定める状態を示す平面図である。
【発明を実施するための形態】
【００２４】
以下、実施例を挙げて、本発明を更に詳細に説明する。最初に、図１〜図１１を参照して、本発明の実施に使用される出隅部保護カバーＣ1 、入隅部保護カバーＣ2 、中間直状保護カバー体Ｋ0 及び直状保護カバーＣ3 について説明し、その後に、各保護カバーＣ1 〜Ｃ3 及び中間直状保護カバー体Ｋ0 を使用して、建物壁の出隅部Ａ及び入隅部Ｂを通って第１〜第３の各壁面Ｗ1 〜Ｗ3 に配管材Ｐを配管する方法（施工順序）について説明する。なお、第１〜第３の各壁面Ｗ1 〜Ｗ3 は、互いに直交して交差している。
【００２５】
出隅部及び入隅部の各保護カバーＣ1 ，Ｃ2 は、図４〜図１１に示されるように、配管材Ｐにおける建物壁の出隅部Ａ及び入隅部Ｂに配管される部分を覆う部材であって、共通のベース体Ｖ1 とカバー体Ｋ1 ，Ｋ2 とで構成される。共通のベース体Ｖ1 は、図９及び図１０に示されるように、配管方向に沿って配置される長方形板状をしたベース部１の長手方向に沿って中央からずれた位置に幅広部２が形成され、当該幅広部２の両端部に上方に向けて一対の起立部３が一体に起立して設けられている。ベース部１の長さ（Ｌ01）は、入隅部保護カバーＣ2 における二つの壁面Ｗ2 ，Ｗ3 に配置される部分のうち壁面Ｗ3 に配置される長さの長い側の部分の長さ（Ｌ21）と同一である（図８及び図１１参照）。直状保護カバーＣ3 のベース体Ｖ3 には、前記した共通のベース部１が挿入されて、当該ベース部１に対する幅方向の位置を定めるための位置決め凹部３４〔図６（ｂ）参照〕が形成されており、当該ベース体Ｖ1 のベース部１の幅（Ｕ1 ）は、前記ベース体Ｖ3 の位置決め凹部３４の幅（Ｕ3 ）よりも僅かに小さくなっている。ベース体Ｖ1 の一対の起立部３の外側面における下端部には、後述の出隅部及び入隅部の各保護カバーＣ1 ，Ｃ2 を構成する各カバー体Ｋ1 ，Ｋ2 の内側面に設けられた一対一組の組付凸部１６，２６が嵌合される被組付凹部４が形成されている。また、ベース部１の幅方向の中央部には、全長に亘って位置決め凹条５が設けられ、前記幅広部２における当該位置決め凹条５の部分には、建物壁における出隅部Ａ及び入隅部Ｂを形成する二つの壁面Ｗ1 ，Ｗ2 （Ｗ2 ，Ｗ3 ）のうちの一方の壁面Ｗ1 （Ｗ3 ）に対して前記ベース体Ｖ1 を固定するビス９１の挿通孔６が形成されている。
【００２６】
また、ベース体Ｖ1 のベース部１には、長手方向に沿った中央部から一方の端部にずれた位置に一対の被組付凹部４が配置されていて、前記ベース部１における当該一対の被組付凹部４を基準にして両側に延出している部分は、それぞれ当該ベース体Ｖ1 を前記壁面Ｗ1 （Ｗ3 ）に固定する際の配管方向に沿った位置決め機能を果す出隅部用及び入隅部用の各位置合せ片７，８として機能している。
【００２７】
次に、図６〜図９及び図１１を参照して、出隅部及び入隅部の各保護カバーＣ1 ，Ｃ2 を構成する各カバー体Ｋ1 ，Ｋ2 について説明する。出隅部保護カバーＣ1 のカバー体Ｋ1 は、建物壁の出隅部Ａに沿って凸状に屈曲する天壁部１１と、当該天壁部１１の幅方向の両端部に一体に接続されて、先端面が出隅部Ａを構成する二つの各壁面Ｗ1 ，Ｗ2 に沿って略当接する一対の側壁部１２と、前記各壁面Ｗ1 ，Ｗ2 に沿って配置される直状保護カバーＣ3 及び中間直状保護カバー体Ｋ0 を接続するための互いに直交する各接続口１３，１４とを備えている。カバー体Ｋ1 の各側壁部１２の各壁面Ｗ1 ，Ｗ2 に当接する内側の部分は、当該各壁面Ｗ1 ，Ｗ2 の交差部Ａ0 に配置可能なように直角に切り欠かれた形状となっており、出隅部Ａの交差部Ａ0 に宛てがわれる部分を交差部対応部１５という。カバー体Ｋ1 における各壁面Ｗ1 ，Ｗ2 に配置される各部分の長さＬ11，Ｌ12は異なっていて、壁面Ｗ1 に配置される側が、壁面Ｗ2 に配置される側よりも遥かに長くなるように形成されている。そして、一対の側壁部１２における長さの長い側の内側面のみに、ベース体Ｖ1 の一対の被組付凹部４に嵌合される一対の組付凸部１６が対向して形成されている。一対の組付凸部１６と前記交差部対応部１５との間の距離（Ｌ13）は、前記ベース体Ｖ1 の一対の被組付凹部４と出隅部用位置合せ片７の端面７ａとの間の距離（Ｌ02）に等しい（図１１参照）。
【００２８】
一方、入隅部保護カバーＣ2 のカバー体Ｋ2 は、建物壁の入隅部Ｂに沿って凹状に屈曲する天壁部２１と、当該天壁部２１の幅方向の両端部に一体に接続されて、先端面が出隅部Ａを構成する二つの各壁面Ｗ2 ，Ｗ3 に沿って略当接する一対の側壁部２２と、前記各壁面Ｗ2 ，Ｗ3 に沿って配置される中間直状保護カバー体Ｋ0 及び直状保護カバーＣ3 を接続するための互いに直交する各接続口２３，２４とを備えている。カバー体Ｋ2 における各壁面Ｗ2 ，Ｗ3 に配置される各部分の長さ（Ｌ21，Ｌ22）は異なっていて、壁面Ｗ3 に配置される側が、壁面Ｗ2 に配置される側よりも長くなるように形成されている（図８及び図１１参照）。そして、一対の側壁部２２における長さの長い側の内側面のみに、ベース体Ｖ1 の一対の被組付凹部４に嵌合される一対の組付凸部２６が対向して形成されている。カバー体Ｋ2 の一対の組付凸部２６と壁面Ｗ3 に配置される側の接続口２３との間の距離（Ｌ23）は、前記ベース体Ｖ1 の一対の被組付凹部４と出隅部用位置合せ片７の端面７ａとの間の距離（Ｌ03）に等しい（図１１参照）。
【００２９】
上記したように、出隅部及び入隅部の各保護カバーＣ1 ，Ｃ2 を構成する各カバー体Ｋ1 ，Ｋ2 は、出隅部Ａ又は入隅部Ｂを構成する二つの壁面Ｗ1 ，Ｗ2 （Ｗ2 ，Ｗ3 ）に配置される各部分の長さが異なっていて、一対の側壁部１２（２２）における長さの長い側の内側面のみに一対の組付凸部１６（２６）が対向して形成されていて、一対の側壁部１２（２２）における長さの長い側、換言すると壁面に対する必要保持力が大きな側において各カバー体Ｋ1 ，Ｋ2 がベース体Ｖ1 に組み付けられる構成となっている。このため、一対の側壁部１２（２２）における長さが短くて、必要保持力の小さな側は、壁面Ｗ2 に対して固定されていなくても、各カバー体Ｋ1 ，Ｋ2 を安定して壁面Ｗ1 （Ｗ3 ）に対して保持固定できる。
【００３０】
出隅部及び入隅部の各保護カバーＣ1 ，Ｃ2 を構成する各カバー体Ｋ1 ，Ｋ2 の天壁部１１，２１における壁面Ｗ2 に配置される部分の内面には、当該各カバー体Ｋ1 ，Ｋ2 の間である壁面Ｗ2 に配置される中間直状保護カバー体Ｋ0 が配管方向に沿って移動することにより設定長を超えて各カバー体Ｋ1 ，Ｋ2 の接続口１４，２４に進入するのを規制する進入規制突起１７，２７がそれぞれ設けられている。
【００３１】
ここで、図７に示されるように、出隅部保護カバーＣ1 のカバー体Ｋ1 の内面に形成された進入規制突起１７は、出隅部Ａを形成する第１壁面Ｗ1 に固定されたベース体Ｖ1 に対してカバー体Ｋ2 を組み付けた状態において、第１壁面Ｗ1 の延長面上に位置している。実施例では、カバー体Ｋ1 の進入規制突起１７は、第１壁面Ｗ1 に固定されたベース体Ｖ1 のベース部１の上面の延長面上に位置している。
【００３２】
また、直状保護カバーＣ3 は、配管材Ｐの直線配管部を覆う公知のカバーであって、図３及び図６（ｂ）に示されるように、内部に配管材Ｐを収容保持して、壁面Ｗ1 ，Ｗ3 に固定されるベース体Ｖ3 と、当該ベース体Ｖ3 に覆蓋されるカバー体Ｋ3 とから成る。ベース体Ｖ3 は、板状のベース部３１の幅方向の両端部に弾性変形可能な一対の保持壁部３２が起立して形成され、当該一対の保持壁部３２の基端部の外側に嵌合凹部３３が形成され、前記ベース部３１の裏面側に前記位置決め凹部３４が設けられている。一方、カバー体Ｋ3 は、天壁部３５の幅方向の両端部に一対の側壁部３６が対向して形成され、当該一対の側壁部３６の下端部の内側に、前記ベース体Ｖ3 の嵌合凹部３３に嵌合される嵌合凸部３７が形成されている。そして、ベース体Ｖ3 の一対の保持壁部３２の間に配管材Ｐを挿入保持された状態で、当該ベース体Ｖ3 に対してカバー体Ｋ3 を覆蓋させると、ベース体Ｖ3 の一対の嵌合凹部３３に対してカバー体Ｋ3 の一対の嵌合凸部３７が嵌合されて、ベース体Ｖ3 とカバー体Ｋ3 とが組み付けられる。
【００３３】
また、図３、図４及び図８に示されるように、配管材Ｐにおける建物壁の出隅部Ａ及び入隅部Ｂとの間の壁面Ｗ2 に配管される部分は、中間直状保護カバー体Ｋ0 のみによって覆われる。中間直状保護カバー体Ｋ0 は、前記直状保護カバーＣ3 を構成するカバー体Ｋ3 の一対の側壁部３６の内側面に設けられた一対の嵌合凸部３７を欠落させた構成であって、天壁部４１の幅方向の両端部に一対の側壁部４２が一体に接続された構成である。なお、入隅部及び出隅部の各保護カバーＣ1 ，Ｃ2 を構成するベース体Ｖ1 及び各保護カバー体Ｋ1 ，Ｋ2 は、樹脂の射出成形により形成され、中間直状保護カバー体Ｋ0 並びに直状保護カバーＣ3 を構成するベース体Ｖ3 とカバー体Ｋ3 は、樹脂の押出成形により形成される。
【００３４】
次に、図１〜図５を参照して、各保護カバーＣ1 〜Ｃ3 及び中間直状保護カバー体Ｋ0 を使用して、建物壁の出隅部Ａ及び入隅部Ｂを通って各壁面Ｗ1 〜Ｗ3 に配管材Ｐを配管する方法（施工順序）について説明する。図１に示されるように、建物壁に設けられた出隅部Ａと入隅部Ｂとは、比較的近接していて、当該出隅部Ａ及び入隅部Ｂの部分に配管材Ｐを配管する例を挙げる。まず、図１に示されるように、第１〜第３の各壁面Ｗ1 〜Ｗ3 の配管位置には罫書き線Ｊが罫書かれていて、出隅部Ａ及び入隅部Ｂを構成する二つの壁面のうち互いに平行な壁面Ｗ1 ，Ｗ3 に対してそれぞれベース体Ｖ1 を前記罫書き線Ｊに沿って固定する。出隅部Ａを構成する壁面Ｗ1 にベース体Ｖ1 を固定するには、出隅部用位置合せ片７の端面７ａを出隅部Ａの交差部Ａ0 に位置合せして、当該ベース体Ｖ1 を配管方向に配置して、ビス９１を介して当該ベース体Ｖ1 を壁面Ｗ1 に固定する。一方、入隅部Ｂを構成する壁面Ｗ3 にベース体Ｖ1 を固定するには、入隅部用位置合せ片８の端面８ａを入隅部Ｂの交差部Ｂ0 に位置合せして、即ち、当該端面８ａを壁面Ｗ2 に当接させた状態で、壁面Ｗ3 に対してベース体Ｖ1 をビス９１を介して固定する。
【００３５】
次に、任意の長さを有する原中間直状保護カバー体Ｋ01を切断して、出隅部及び入隅部の各保護カバーＣ1 ，Ｃ2 の間に配置可能な設定長ＬK0を有する中間直状保護カバー体Ｋ0 とするには、図２に示されるように、入隅部Ｂに固定されたベース体Ｖ1 に対してカバー体Ｋ2 を仮組み付けした状態で、当該カバー体Ｋ2 における第２壁面Ｗ2 に沿った接続口２４に原中間直状保護カバー体Ｋ01を部分内挿させて、当該原中間直状保護カバー体Ｋ01の一端面を前記接続口２４内に形成された進入規制突起２７に当接させた状態で、当該原中間直状保護カバー体Ｋ01を第１壁面Ｗ1 に固定されたベース体Ｖ1 のベース部１の上面の延長面Ｆ1 と交差する部分において切断する。これにより、出隅部及び入隅部の各保護カバーＣ1 ，Ｃ2 を構成する各カバー体Ｋ1 ，Ｋ2 の内面の各進入規制突起１７，２７の間に配置可能な設定長ＬK0を有する中間直状保護カバー体Ｋ0 が形成される。ここで、原中間直状保護カバー体Ｋ01の切断位置は、出隅部及び入隅部の各保護カバーＣ1 ，Ｃ2 の各カバー体Ｋ1 ，Ｋ2 の内面に設けられた進入規制突起１７，２７の間に、切断された中間直状保護カバー体Ｋ0 が配置可能となるように、第１壁面Ｗ1 に固定されたベース体Ｖ1 のベース部１の上面の延長面との交差部よりもやや内側にして、切断された中間直状保護カバー体Ｋ0 が前記各進入規制突起１７，２７に僅かの隙間を有して配置されるようにすることが望ましい。また、入隅部Ｂにおいて、ベース体Ｖ1 に対して仮組み付けしたカバー体Ｋ2 は、中間直状保護カバー体Ｋ0 を設定長ＬK0に切断した後には、取り外す。なお、図２において、Ｋ02は、原中間直状保護カバー体Ｋ01を設定長ＬK0に切断した後の他方の切断片を示す。
【００３６】
なお、第１及び第３の各壁面Ｗ1 ，Ｗ3 に設置される直状保護カバーＣ3 に関しても、「背景技術」の項目において、直状保護カバーＣ3'を設定長に切断するのと全く同様にして、設定長に切断しておく。
【００３７】
次に、図３及び図６（ｂ）に示されるように、出隅部Ａにおいては、壁面Ｗ1 に固定されたベース体Ｖ1 の入隅部用位置合せ片８が、直状保護カバーＣ3 のベース体Ｖ3 に設けられた位置決め凹部３４に挿入された状態で、当該ベース体Ｖ3 をビス（図示せず）を用いて壁面Ｗ3 に固定する。全く同様にして、入隅部Ｂにおいては、壁面Ｗ3 に固定されたベース体Ｖ1 の出隅部用位置合せ片７が、直状保護カバーＣ3 のベース体Ｖ3 に設けられた位置決め凹部３４に挿入された状態で、当該ベース体Ｖ3 をビス（図示せず）を用いて壁面Ｗ1 に固定する。図示の施工例では、各壁面Ｗ1 ，Ｗ3 において、直状保護カバーＣ3 のベース体Ｖ3 の端面は、いずれもベース体Ｖ1 に起立して形成された一対の起立部３の端面に当接している。出隅部Ａ及び入隅部Ｂに配管される配管材Ｐは互いに逆方向に屈曲して配管する必要があるため、所定長に切断された３本の配管材Ｐがエルボ９２を介して接続されており、各エルボ９２を出隅部Ａ及び入隅部Ｂに配置した状態で、接続済の２本の各配管材Ｐをそれぞれ壁面Ｗ1 ，Ｗ3 に固定された直状保護カバーＣ3 の各ベース体Ｖ3 に収容保持させる。
【００３８】
引き続いて、図４に示されるように、第１及び第３の各壁面Ｗ1 ，Ｗ3 に設置された直状保護カバーＣ3 のベース体Ｖ3 に対してカバー体Ｋ3 を覆蓋させた後に、壁面Ｗ2 に配管された配管材Ｐを覆う中間直状保護カバー体Ｋ0 を一方の手で保持した状態で、他方の手で持った出隅部保護カバーＣ1 のカバー体Ｋ1 を、壁面Ｗ1 に固定されたベース体Ｖ1 に対して押し込むと、当該ベース体Ｖ1 の一対の被組付凹部４に対してカバー体Ｋ1 の一対の組付凸部１６が嵌合して、壁面Ｗ1 に固定されたベース体Ｖ1 に対してカバー体Ｋ1 が一体に組み付けられる。全く同様にして、壁面Ｗ3 に固定された別のベース体Ｖ1 に対して入隅部保護カバーＣ2 のカバー体Ｋ2 を押し込んで、当該別のベース体Ｖ1 に対してカバー体Ｋ2 を一体に組み付ける。
【００３９】
これにより、図５及び図８に示されるように、出隅部及び入隅部保護カバーＣ1 ，Ｃ2 の各カバー体Ｋ1 ，Ｋ2 は、直状保護カバーＣ3 のカバー体Ｋ3 及び中間直状保護カバー体Ｋ0 の各端部に対して所定長だけ覆い被さった状態で、別々のベース体Ｖ1 に対して一体に組み付けられる。
【００４０】
また、上記したように、出隅部保護カバーＣ1 のカバー体Ｋ1 の内面に設けられた進入規制突起１７の配管方向に沿った形成位置、及び中間直状保護カバー体Ｋ0 の長さは、いずれも第１壁面Ｗ1 に固定されたベース体Ｖ1 のベース部１の上面の位置を基準にして定めてあるので、中間直状保護カバー体Ｋ0 の両端面は、それぞれ出隅部及び入隅部の各保護カバーＣ1 ，Ｃ2 の各カバー体Ｋ1 ，Ｋ2 の天壁部１１，２１の内面に設けられた各進入規制突起１７，２７に当接して、当該直状カバー体Ｋ0 は、配管方向に沿って移動不能となって、配置位置が固定される（図８参照）。
【００４１】
また、上記実施例では、中間直状保護カバー体Ｋ0 の一端部は、入隅部Ｂに設置される入隅部保護カバーＣ2 のカバー体Ｋ2 の接続口２４に部分内挿されて、当該接続口２４の内面に設けられた進入規制突起２７により、当該進入規制突起２７を超えて更に内部に進入するのを防止しているが、本発明（請求項１の発明）では、中間直状保護カバー体Ｋ0 の一端部は、第２壁面Ｗ2 に設置される入隅部保護カバー以外の接続用保護カバー（付属保護カバー）の接続口に部分内挿される場合もあり得る。
【００４２】
また、出隅部及び入隅部の各保護カバーＣ1 ，Ｃ2 の間に配置される中間直状保護カバーとしては、上記実施例のように、ベース体を有していないカバー体のみからなる場合のみならず、ベース体に対してカバー体が組み付けられる構成であっても、設置可能である。ベース体を有する中間直状保護カバーであっても、出隅部及び入隅部の各保護カバーＣ1 ，Ｃ2 を構成するベース体が、当該中間直状保護カバーが配置される第２壁面Ｗ2 には、存在しない構成の場合には、出隅部及び入隅部の各保護カバーＣ1 ，Ｃ2 を構成するベース体と、中間直状保護カバーを構成するベース体との干渉がないために、出隅部及び入隅部の各保護カバーＣ1 ，Ｃ2 を構成するカバー体Ｋ1 ，Ｋ2 に設けられる各進入規制突起１７，２７の配置位置の制約が少なくなって、当該配置設計が容易となる。
【００４３】
また、上記した配管方法（施工順序）では、最初に、互いに平行な壁面Ｗ1 ，Ｗ3 の出隅部Ａ及び入隅部Ｂの部分に罫書き線Ｊに沿ってベース体Ｖ1 をそれぞれ固定することにより、配管作業を行ったが、以下に示す配管方法によれば、配管経路の一部にのみ罫書き線を罫書けば足り、必ずしも配管経路の全域に亘って罫書き線を罫書く必要がなくなる。
【００４４】
具体的には、図１２に示されるように、出隅部Ａに出隅部保護カバーＣ1 を設置する場合において、入隅部Ｂを構成する壁面Ｗ3 に固定された直状保護カバーＣ3 のベース体Ｖ3 と位置合せして、入隅部保護カバーＣ2 のベース体Ｖ1 を前記壁面Ｗ3 に固定した後に、当該ベース体Ｖ1 に入隅部保護カバー体Ｋ2 を一体に組み付けて、設定長に切断された中間直状保護カバー体Ｋ0 を壁面Ｗ2 に沿って配置して、その一端部を前記入隅部保護カバー体Ｋ2 に内挿して、進入規制突起２７に当接させ、この状態で、出隅部保護カバーＣ1 を構成するベース体Ｖ1 とで出隅部保護カバー体Ｋ1 とを一体に組み付けた状態で、当該出隅部保護カバー体Ｋ1 を、設置済の前記中間直状保護カバー体Ｋ0 に対して接続させる。これにより、中間直状保護カバー体Ｋ0 の他端面は、出隅部保護カバー体Ｋ1 の内面に設けられた進入規制突起１７に当接して、中間直状保護カバー体Ｋ0 に対して出隅部保護カバーＣ1 が正規の位置に配置される。ベース体Ｖ1 のベース部１には、幅広部２に形成されたビス挿通孔６の他に、当該ベース体Ｖ1 に対して出隅部保護カバー体Ｋ1 を組み付けた状態で、当該カバー体Ｋ1 から突出する部分に別のビス挿通孔６（図１０参照）が形成されていて、当該別のビス挿通孔６に挿通されたビス９１を介して壁面Ｗ1 に対して前記ベース体Ｖ1 を固定する。
【００４５】
これにより、配管経路に設置された中間直状保護カバー体Ｋ0 を基準にして、建物壁の出隅部Ａに出隅部保護カバーＣ1 が設置固定されるので、壁面Ｗ1 には、出隅部保護カバーＣ1 のベース体Ｖ1 の設置位置を定めるための罫書き線Ｊを罫書く必要がなくなる。また、当然のことながら、上記のようにして、配管経路に設置された中間直状保護カバー体Ｋ0 を基準にして出隅部保護カバーＣ1 を設置することにより、当該出隅部保護カバーＣ1 を構成するベース体Ｖ1 は、ベース部１の出隅部用位置合せ片７の端面７ａが出隅部Ａの交差部Ａ0 に配置される正規の位置に配置されるため、出隅部Ａにベース体Ｖ1 を固定する際の、交差部Ａ0 との位置合せも不要となる。なお、上記のようにして、出隅部保護カバーＣ1 を壁面Ｗ1 に固定した後には、配管材Ｐの配管のために、出隅部及び入隅部の各保護カバーＣ1 ，Ｃ2 のカバー体Ｋ1 ，Ｋ2 及び中間直状保護カバー体Ｋ0 は、取り外される。
【００４６】
また、上記実施例では、出隅部保護カバーＣ1 に設けられる中間直状保護カバー体Ｋ0 の進入規制突起１７は、出隅部保護カバー体Ｋ1 の側に設けられているが、例えば前記ベース体Ｖ1 のベース部１の交差部Ａ0 の側の端部を当該交差部Ａ0 から僅かに突出させて配置したり、或いは前記ベース部１の交差部Ａ0 の側の端部を僅かにＬ字形に屈曲させることにより、ベース体の側に中間直状保護カバー体Ｋ0 の進入規制突起を設けることも可能である。
【００４７】
次に、図１３〜図１６を参照して、本発明の別の実施例について説明する。出隅部保護カバーＣ1'は、ベース体Ｖ1 とカバー体Ｋ1'とから成り、入隅部保護カバーＣ2'は、ベース体Ｖ1 とカバー体Ｋ2'とから成る。各保護カバーＣ1'，Ｃ2'は、これらを構成するカバー体Ｋ1', Ｋ2'の配管方向に沿った横断面形状がコの字状である点が、前記保護カバーＣ1 ，Ｃ2 と異なる（図１４及び図１５参照）。従って、出隅部及び入隅部の各保護カバーＣ1'，Ｃ2'の各部分の符号は、出隅部及び入隅部の各保護カバーＣ1 ，Ｃ2 の各部分の符号に対して「’」を付する。
【００４８】
また、図１３に示されるように、入隅部保護カバーＣ2'のカバー体Ｋ2'の天壁部２１’の内面には、中間直状保護カバー体Ｋ0'の一端部が設定長を超えて進入するのを規制する進入規制突起２７’が設けられているが、出隅部保護カバーＣ1'のカバー体Ｋ1'には、進入規制突起は設けられていない。出隅部Ａ及び入隅部Ｂにそれぞれ出隅部保護カバーＣ1'及び入隅部保護カバーＣ2'を設置した状態で、第１壁面Ｗ1 から出隅部保護カバーＣ1'のカバー体Ｋ1'の天壁部１１’までの長さは、第３壁面Ｗ3 から入隅部保護カバーＣ2'のカバー体Ｋ2'の進入規制突起２７’の当接面までの長さと等しくて、（ＬD ) となっている。なお、図１４に示されるように、カバー体Ｋ1'における接続口１３’の部分は、直状保護カバーＣ3 と接続可能な形状に形成されている。
【００４９】
このため、図１３及び図１６に示されるように、中間直状保護カバー体Ｋ0'の長さ（ＬW2) は、第２壁面Ｗ2 の配管方向に沿った長さ（ＬW2) と同一となる。従って、原中間直状保護カバー体Ｋ01’から長さ（ＬW2) の中間直状保護カバー体Ｋ0'を得るには、図１６に示されるように、原中間直状保護カバー体Ｋ01’を第２壁面Ｗ2 の配管方向に沿わせて、その一端面を第３壁面Ｗ3 に当接させた状態で、第１壁面Ｗ1 の延長面Ｆ2 と交差する位置において、原中間直状保護カバー体Ｋ01’を切断すればよいので、中間直状保護カバー体Ｋ0'の切断長をいちいち測定する必要がなくなると共に、切断長の誤りもなくなる。
【００５０】
よって、図１３において、入隅部Ｂに入隅部保護カバーＣ2'を設置した状態で、第２壁面Ｗ2 に沿わせた中間直状保護カバー体Ｋ0'の一端面を、当該入隅部保護カバーＣ2'のカバー体Ｋ2'の内面の進入規制突起２７’に当接させた状態で、出隅部Ａを構成する第１壁面Ｗ1 に固定されたベース体Ｖ1 に対してカバー体Ｋ1'を組み付けると、中間直状保護カバー体Ｋ0'の他端面は、当該カバー体Ｋ1'の天壁部１１’の内面に当接する。従って、カバー体Ｋ1'の天壁部１１’は、中間直状保護カバー体Ｋ0'の進入規制部として機能している。
【００５１】
また、出隅部保護カバーのカバー体に設けられる進入規制部は、入隅部保護カバーのカバー体に設けられる進入規制部の形成位置との関係において、当該出隅部保護カバーを出隅部に設置した状態で、第１壁面の延長面と交差する部分とカバー体の天壁部との中間位置に設けられたり、或いは出隅部保護カバーのカバー体の天壁部を外方に膨出させて、当該膨出部の内面を進入規制部とすることも可能である。
【００５２】
また、前記各実施例では、出隅部保護カバーＣ1 ，Ｃ1'を構成する各出隅部保護カバー体Ｋ1 ，Ｋ1'及び入隅部保護カバーＣ2 ，Ｃ2'を構成する各入隅部保護カバー体Ｋ2 ，Ｋ2'における連結する各壁面Ｗ1 ，Ｗ2 （Ｗ2 ，Ｗ3 ）に配置される部分の長さに関しては、ベース体Ｖ1 が配置される側の部分の長さが、配置されない側の部分の長さに比較して長くなっているが、両部分の長さは同じでもよく、ベース体Ｖ1 が固定される側の部分の長さが短くなるように、逆にしてもよい。
【００５３】
また、中間直状保護カバー体Ｋ0 ，Ｋ0'の切断長に関しては、設置状態において、配管方向にスライドした場合に、両端部が出隅部及び入隅部の各保護カバーＣ1 ，Ｃ2 （Ｃ1', Ｃ2') の接続口１３，１４（１３’，１４’）〔２３，２４（２３’，２４’）〕から外れなければよいので、上記したように、両端の各進入規制突起１７，２７（１７’，２７’）の間にぴったり嵌まって、スライドしないような切断長に切断する必要はない。
【００５４】
更に、上記各実施例では、出隅部保護カバーＣ1 （Ｃ1') 及び入隅部保護カバーＣ2 （Ｃ2'）を構成する各ベース体Ｖ1 は、共用されているが、それぞれ専用の異なるベース体で構成することも可能である。例えば、出隅部保護カバーのベース体の側に、中間直状保護カバー体の進入規制部を設ける場合には、出隅部及び入隅部の各保護カバーを構成する各ベース体の構成は、異なるものとなる。
【符号の説明】
【００５５】
Ａ：出隅部
Ａ0 ：出隅部の交差部
Ｂ：入隅部
Ｂ0 ：入隅部の交差部
Ｃ1 ：出隅部保護カバー
Ｃ2 ：入隅部保護カバー
Ｃ3 ：直状保護カバー（一般直状保護カバー）
Ｆ1 ：ベース体のベース面上面の延長面
Ｆ2 ：第１壁面の延長面
Ｋ0,Ｋ0'：中間直状保護カバー体
Ｋ1 ：出隅部保護カバー体
Ｋ2 ：入隅部保護カバー体
ＬK0，ＬW2：中間直状保護カバー体の設定長
Ｐ：配管材（配線・配管材）
Ｖ1 ：ベース体
Ｗ1 ：第１壁面
Ｗ2 ：第２壁面
Ｗ3 ：第３壁面
１３，１４：出隅部保護カバーの接続口
２３，２４：入隅部保護カバーの接続口
１７，１７’：出隅部保護カバーの進入規制突起（進入規制部）
２７，２７’：入隅部保護カバーの進入規制突起（進入規制部）
【図１】
0005738675.tif 000002
【図２】
0005738675.tif 000003
【図３】
0005738675.tif 000004
【図４】
0005738675.tif 000005
【図５】
0005738675.tif 000006
【図６】
0005738675.tif 000007
【図７】
0005738675.tif 000008
【図８】
0005738675.tif 000009
【図９】
0005738675.tif 000010
【図１０】
0005738675.tif 000011
【図１１】
0005738675.tif 000012
【図１２】
0005738675.tif 000013
【図１３】
0005738675.tif 000014
【図１４】
0005738675.tif 000015
【図１５】
0005738675.tif 000016
【図１６】
0005738675.tif 000017
【図１７】
0005738675.tif 000018
【図１８】
0005738675.tif 000019